(57)【特許請求の範囲】
【請求項１】
充填材を充填してなる掛布団において、掛布団の左右の両側部側から掛布団の長さ方向の中心線に向かって中心線にまで達しないように内方に入り込む曲線状又は折れ線状のキルティングを施し、
前記充填材が、紡糸された長繊維フィラメントを切断せず長いままでクリンプさせ、このクリンプさせた長繊維フィラメントの集合体を二つ折りにすることにより積層した合成繊維の集合体より形成され、該充填材を掛布団の側地内に充填した後、その側地の周囲を充填材と共に縫着することにより、該充填材が側地に固定されるようにしたことを特徴とするフィット性を向上させた掛布団の製造方法。
【請求項２】
充填材を充填してなる掛布団において、掛布団の上下の両側部側又は下方の側部側から掛布団の幅方向の中心線に向かって中心線にまで達しないように内方に入り込む曲線状又は折れ線状のキルティングを施し、
前記充填材が、紡糸された長繊維フィラメントを切断せず長いままでクリンプさせ、このクリンプさせた長繊維フィラメントの集合体を二つ折りにすることにより積層した合成繊維の集合体より形成され、該充填材を掛布団の側地内に充填した後、その側地の周囲を充填材と共に縫着することにより、該充填材が側地に固定されるようにしたことを特徴とするフィット性を向上させた掛布団の製造方法。
【請求項３】
充填材を充填してなる掛布団において、掛布団の長手方向の中心線又は幅方向の中心線に向かってそれぞれの中心線が対応する各側部側から各中心線にまで達しないように内方に入り込む曲線状であって、前記の中心線にて線対称の対をなすキルティングを施し、
前記充填材が、紡糸された長繊維フィラメントを切断せず長いままでクリンプさせ、このクリンプさせた長繊維フィラメントの集合体を二つ折りにすることにより積層した合成繊維の集合体より形成され、該充填材を掛布団の側地内に充填した後、その側地の周囲を充填材と共に縫着することにより、該充填材が側地に固定されるようにしたことを特徴とするフィット性を向上させた掛布団の製造方法。
【発明の詳細な説明】
【０００１】
【発明の属する技術分野】
本発明は、掛布団に関し、特に掛布団の中に身体を潜り込ませたときに身体とのフィット性を向上させた掛布団に関する。
【０００２】
【従来の技術】
一般に使用されている従来の掛布団は、図９に示すように、その縦横に複数のキルティング１０１が長さ方向あるいは幅方向に平行に施されている。
【０００３】
【発明が解決しようとする課題】
しかしながら、上記のような掛布団は、その中に身体を潜り込ませたときには、図１０に示すように全体的に膨らんだような状態となる。すなわち、掛布団の襟元部１０２から足元部１０３にかけて若干の高低はあるものの中央部が盛り上がり、側部が引っ張られて突っ張った空洞の中に身を置いた状態となる。したがって、身体と掛布団との間（身体の腰部などの細くなっているところでは顕著である）に空間ができるのでフィット性が悪いという欠点があった。また、この身体と掛布団との間に空間ができたときに掛布団の端が開口すると、この開口と前記の空間とがつながって折角暖められた暖気が掛布団の外部へ流出して外部の冷気が掛布団内に流入するので、掛布団を掛けていても就寝中に寒さを感じて風邪を引いてしまう原因ともなり、また冷え性の人にとっては、安眠できないという欠点があった。
【０００４】
そこで本発明者は、上記の欠点に鑑みて鋭意研究を重ね、掛布団の中に身体を潜り込ませた場合に掛布団が膨らまず、しぼんだ状態になるようにキルティングの入れ方を工夫することにより、身体に対してフィット性を向上させた掛布団を開発した。
【０００５】
【課題を解決するための手段】
本発明に係るフィット性を向上させた掛布団は、充填材を充填してなる掛布団において、掛布団の左右の両側部から掛布団の長さ方向の中心線に向かって中心線にまで達しないように内方に入り込む曲線状又は折れ線状のキルティングを施したものである。
【０００６】
このように掛布団にキルティングを施すと、布団はキルティングのところで屈曲しやすくなるため、当該構成の掛布団の中に身体を潜り込ませると、中央部が盛り上がって掛布団の側部が中央に引っ張られても前記の曲線状又は折れ線状のキルティングの箇所で掛布団が屈曲できるので、掛布団の側部が突っ張らずに身体側に引き寄せられてしぼんだ状態となり、掛布団が身体の側面に沿ってフィットする。
【０００７】
また、本発明に係るフィット性を向上させた掛布団として、充填材を充填してなる掛布団において、掛布団の上下の両側部側又は下方の側部側から掛布団の幅方向の中心線に向かって中心線にまで達しないように内方に入り込む曲線状又は折れ線状のキルティングを施すようにしてもよい。
【０００８】
このように掛布団にキルティングを施すと、前記の構成と同様の理由で、掛布団の襟元部及び足元部が身体側に引き寄せられて身体に沿ってフィットする。
【０００９】
さらに、本発明に係るフィット性を向上させた掛布団として、充填材を充填してなる掛布団において、掛布団の長手方向の中心線又は幅方向の中心線に向かってそれぞれの中心線が対応する各側部側から各中心線にまで達しないように内方に入り込む曲線状であって、前記の中心線にて線対称の対をなすキルティングを施すようにしてもよい。
【００１０】
このように掛布団にキルティングを施すと、上記した構成に基づく作用効果を果たすと共に、左右あるいは上下対称にキルティングが施されるため、バランスのよいフィット性が得られる。
【００１１】
なお、上記において長さ方向及び幅方向とは、長短は関係せず、襟元側から足元側への方向を長さ方向とし、該長さ方向に直交する方向を幅方向とする。
【００１２】
さらにまた、上記の各掛布団の構成において、充填材が、紡糸された長繊維フィラメントを切断せず長いままでクリンプさせ、このクリンプさせた長繊維フィラメントの集合体を二つ折りにすることにより積層した合成繊維の集合体より形成され、該充填材を掛布団の側地内に充填した後、その側地の周囲を充填材と共に縫着することにより、該充填材が側地に固定されてなる構成を付加してもよい。
【００１３】
このように構成した場合には、側地内での充填材の片寄りがなくなり、また、短繊維が側地から抜け出ることがなく、充填材が合成繊維であるため、水洗いでき、かつ、速乾性があり、保温性に優れる掛布団を得ることができる。
【００１４】
【発明の実施の形態】
以下に本発明の好適な実施例を添付の図面に基づいて詳細に説明する。
【００１５】
図１〜図４はキルティングの形態を説明する図であって、図１は長さ方向に曲線状のキルティングを施した状態の概略平面図であり、図２は長さ方向に折れ線状のキルティングを施した状態の概略平面図であり、図３は幅方向に曲線状のキルティングを施した状態の概略平面図であり、図４は幅方向に折れ線状のキルティングを施した状態の概略平面図である。
【００１６】
図１〜図４においてＡは掛布団を示し、図１及び図２におけるＢ１は一点鎖線で表した長さ方向の中心線である。図１においてＣ１は曲線状のキルティングであって、キルティングＣ１は前記中心線Ｂ１に向かって入り込んだ状態、すなわち、曲線の凸側が中心線Ｂ１側に向くように配されたものである。図２においてＣ２は折れ線状のキルティングであって、キルティングＣ２は前記中心線Ｂ１に向かって内方に入り込んだ状態、すなわち、折れ線の凸側が中心線Ｂ１側に向くように配されたものである。
【００１７】
このようにキルティングＣ１、Ｃ２を施すと、中心線Ｂ１において掛布団Ａを持ち上げれば掛布団Ａの左右外方側Ｓ１、Ｓ２に作用する中心線Ｂ１方向への引っ張り力により、掛布団Ａの左右外方側Ｓ１、Ｓ２が中心線Ｂ１側へ矢符Ｐ１、Ｐ２で示すように引き寄せられると共にキルティングＣ１、Ｃ２の箇所で掛布団が屈曲するので、キルティングＣ１、Ｃ２の箇所より内方側は持ち上がるが、左右外方側Ｓ１、Ｓ２は持ち上がらない。
【００１８】
したがって、キルティングＣ１、Ｃ２を施した掛布団Ａは、身体の形状に合わせて必要な部分のみが持ち上がり、不要な部分すなわち左右外方側Ｓ１、Ｓ２は持ち上がらずしぼんだ状態となるので、身体と掛布団との間に不要な空間ができず、身体に対してフィット性のよい掛布団となる。
【００１９】
図３及び図４におけるＢ２は一点鎖線で表した幅方向の中心線である。図３においてＣ３は曲線状のキルティングであって、キルティングＣ３は前記中心線Ｂ２に向かって内方に入り込んだ状態、すなわち、曲線の凸側が中心線Ｂ２側に向くように配されたものである。図４においてＣ４は折れ線状のキルティングであって、キルティングＣ４は前記中心線Ｂ２に向かって内方に入り込んだ状態、すなわち、折れ線の凸側が中心線Ｂ２側に向くように配されたものである。
【００２０】
このようにキルティングＣ３、Ｃ４を施すと、中心線Ｂ２において掛布団Ａを持ち上げれば掛布団Ａの上下外方側Ｓ３、Ｓ４に作用する中心線Ｂ２方向への引っ張り力により、掛布団Ａの上下外方側Ｓ３、Ｓ４が中心線Ｂ２側へ矢符Ｐ３、Ｐ４で示すように引き寄せられると共にキルティングＣ３、Ｃ４の箇所で掛布団が屈曲するので、キルティングＣ３、Ｃ４の箇所より内方側は持ち上がるが、上下外方側Ｓ３、Ｓ４は持ち上がらない。
【００２１】
したがって、キルティングＣ３、Ｃ４を施した掛布団Ａは、その上下外方側Ｓ３、Ｓ４が膨らまずにしぼんだ状態となって身体に密着するので、フィット性のよう掛布団となる。
【００２２】
上記の理屈に基づいて以下に本発明に係る掛布団の実施例について説明する。
【００２３】
図５〜図８は本実施例に係る掛布団を示し、図５は掛布団の概略平面図であり、図６は掛布団の足元側から見た概略斜視図であり、図７は足元側から見た掛布団の使用状態の斜視図であり、図８は使用状態において力が作用する方向を説明する斜視図である。
【００２４】
本実施例に係る掛布団１０は、充填材として長繊維フィラメントの合成繊維を使用している。すなわち、当該充填材は、紡糸された長繊維フィラメントを切断せず長いままでクリンプさせ、このクリンプさせた長繊維フィラメントの集合体を二つ折りにすることにより積層した合成繊維の集合体より形成される。そして、当該充填材を掛布団の側地内に充填した後、その側地の周囲を充填材と共に縫着することにより、側地に充填材を固定する。符号１１は側地周囲の縫着線である。このように構成することで、側地内で充填材が片寄ることがなく、充填材の片寄りを防止するためのキルティングが不要となり、フィット性を向上させるためのキルティングの配設に効果的であるので望ましい。また、布団特有の埃、すなわち短繊維が側地から抜け出て生ずる埃が発生しない。さらに、充填材が合成繊維であるため、水洗いでき、速乾性があるので、家庭での洗濯が可能となる。さらにまた、上記の充填材は、これを充填した布団について、その保温性を測定した結果、保温性を数値化して表したＣｌｏ値が５．５以上のレベルに達しており、同重量の一般の短繊維からなる合成繊維布団のＣｌｏ値が４〜４．５であることから、優れた保温性を有するものである。なお、Ｃｌｏ値１は、毛布１枚を掛けることによって得られる保温性である。
【００２５】
上記のように構成した掛布団１０には、図５〜図８に示すようにキルティングが施されている。なお、このキルティングの施し方として表裏の側地同士を直接縫合する。
【００２６】
キルティング１ａ、１ｂ及びキルティング２ａ、２ｂは長さ方向の中心線Ｂ３に向かって入り込む曲線にて形成されている。キルティング１ａ、１ｂは、中心線Ｂ３に対して線対称に配されており、当該掛布団１０に身体を潜り込ませたときの中央部の盛り上がりに対して、前述した理屈により、図８の矢符Ｐ５、Ｐ６で示すように左右の外方側１ｃ、１ｄに引っ張り力が働いて引き寄せられるので、左右外方側１ｃ、１ｄが持ち上がらないように作用し、しぼんだ状態となる。また、キルティング２ａ、２ｂは、万一掛布団内で寝返りをうった際などに、キルティング１ａ、１ｂのいずれかの部分が持ち上がったときでもそれ以上の左右の外方側２ｃ、２ｄが持ち上がらないように作用する。例えば、図においてキルティング１ａ側に寝返りをうったとすると、キルティング１ａの外方側１ｃは持ち上がるが、キルティング２ａの外方側２ｃがキルティング１ａ側に引き寄せられ、キルティング２ａの部分で掛布団が屈曲するため、キルティング２ａの外方側２ｃが持ち上がるようなことがない。このように、掛布団の左右の側部において、身体と掛布団との間に空間ができないので、身体に対する掛布団のフィット性が向上し、保温性が保持できる。
【００２７】
キルティング３ａ、３ｂ及びキルティング４ａ、４ｂは長さ方向の中心線Ｂ４に向かって内方に入り込む曲線にて形成されている。キルティング３ａ、３ｂは、中心線Ｂ４に対して線対称に配されており、当該掛布団１０に身体を潜り込ませたときの中央部の盛り上がりに対して、前述した理屈により、図８において矢符Ｐ７、Ｐ８で示すように上下外方側３ｃ、３ｄに引っ張り力が働いて引き寄せられるので、上下外方側３ｃ、３ｄが膨らまず、しぼむように作用する。また、キルティング４ａ、４ｂは、キルティング３ａ、３ｂの部分が持ち上がるようなことがあっても、キルティング４ａ、４ｂそれぞれの上下の外方側４ｃ、４ｄが膨らまないように作用する。例えば、図において掛布団を上方へ引っ張ったときにキルティング３ｂの外方側３ｄは持ち上がるが、キルティング４ｂの外方側４ｄがキルティング３ｂ側に引き寄せられ、キルティング４ｂの部分で掛布団が屈曲するため、キルティング４ｂの外方側４ｄが膨らむようなことがない。このように、掛布団の上下の側部において、身体と掛布団との間に空間ができないので、身体に対する掛布団のフィット性が向上し、保温性が保持できる。
【００２８】
以上述べたように、本実施例に係るフィット性を向上させた掛布団１０は、充填材を充填してなる掛布団において、掛布団の長さ方向の中心線Ｂ３に向かって内方に入り込む曲線状のキルティング１ａ、１ｂ、２ａ、２ｂにより、掛布団１０の中に身体を潜り込ませると、中央部が盛り上がって掛布団１０の側部１ｃ、１ｄ、２ｃ、２ｄが中央に引っ張られても前記の曲線状のキルティング１ａ、１ｂ、２ａ、２ｂの箇所で掛布団１０が屈曲できるので、掛布団１０の側部１ｃ、１ｄ、２ｃ、２ｄが身体側に引き寄せられることとなり、掛布団１０が身体の側面に沿ってフィットするようになる。したがって掛布団１０の側部が突っ張った状態にはならないので、身体と掛布団１０との間に空間ができない。
【００２９】
また、本実施例に係るフィット性を向上させた掛布団１０は、掛布団の幅方向の中心線Ｂ４に向かって内方に入り込む曲線状のキルティング３ａ、３ｂ、４ａ、４ｂを施しているため、前記の構成と同様の理由で、掛布団１０の襟元部３ｃ、４ｃ及び足元部３ｄ、４ｄが身体側に引き寄せられて身体に沿ってフィットするようになり、身体と掛布団との間に空間ができない。
【００３０】
さらに、本実施例に係るフィット性を向上させた掛布団１０は、そのキルティング１ａ、１ｂ、２ａ、２ｂ、３ａ、３ｂ、４ａ、４ｂが掛布団の長手方向の中心線Ｂ３又は幅方向の中心線Ｂ４にて線対称の対をなすため、バランスのとれたフィット性が得られて寝心地がよい。
【００３１】
上記の実施例における充填材としては合成繊維の長繊維フィラメントを使用しているが、適宜、充填材の片寄り防止のためのキルティングを施してもよい。
【００３２】
なお、本発明は、上記の各実施例の構成に限定されるものではなく、特許請求の範囲に記載した範囲を逸脱しない広範囲の実施形態を包含するものである。
【００３３】
【発明の効果】
本発明に係るフィット性を向上させた掛布団は、充填材を充填してなる掛布団において、掛布団の左右の両側部から掛布団の長さ方向の中心線に向かって中心線にまで達しないように内方に入り込む曲線状又は折れ線状のキルティングを施したため、当該構成の掛布団の中に身体を潜り込ませると、中央部が盛り上がって掛布団の側部が中央に引っ張られても前記の曲線状又は折れ線状のキルティングの箇所で掛布団が屈曲できるので、掛布団の側部が身体側に引き寄せられることとなり、掛布団が身体の側面に沿って十分にフィットするようになる。したがって掛布団の側部が突っ張った状態にはならないので、身体と掛布団との間に空間ができず、上記の従来における掛布団の欠点が解消される。
【００３４】
また、本発明に係るフィット性を向上させた掛布団として、充填材を充填してなる掛布団において、掛布団の上下の両側部側又は下方の側部側から掛布団の幅方向の中心線に向かって中心線にまで達しないように内方に入り込む曲線状又は折れ線状のキルティングを施した場合には、前記の構成と同様の理由で、掛布団の襟元部及び足元部が身体側に引き寄せられて身体に沿って十分にフィットするようになり、身体と掛布団との間に空間ができず、上記の従来における掛布団の欠点が解消される。
【００３５】
さらに、本発明に係るフィット性を向上させた掛布団として、充填材を充填してなる掛布団において、掛布団の長手方向の中心線又は幅方向の中心線に向かってそれぞれの中心線が対応する各側部側から各中心線にまで達しないように内方に入り込む曲線状であって、前記の中心線にて線対称の対をなすキルティングを施した場合には、上記した構成に基づく作用効果を果たすと共に、左右あるいは上下対称にキルティングが施されるため、バランスのとれたフィット性が得られて寝心地がよい。
【００３６】
さらにまた、上記の各掛布団の構成において、充填材が、紡糸された長繊維フィラメントを切断せず長いままでクリンプさせ、このクリンプさせた長繊維フィラメントの集合体を二つ折りにすることにより積層した合成繊維の集合体より形成され、該充填材を掛布団の側地内に充填した後、その側地の周囲を充填材と共に縫着することにより、該充填材が側地に固定されてなる構成を付加してもよく、この利用に構成した場合には、側地内での充填材の片寄りがなくなって充填材の片寄りを防止するためのキルティングが不要となり、また、布団特有の埃、すなわち短繊維が側地から抜け出て生ずる埃が発生せず、さらに、充填材が合成繊維であるため、水洗いでき、かつ、速乾性があるので、家庭での洗濯が可能となり、さらにまた、上記の充填材を充填した布団は同重量の短繊維からなる布団よりも保温性に優れる効果を有する掛布団が得られる。
【図面の簡単な説明】
【図１】本発明のキルティングの形態を説明する図であって、長さ方向に曲線状の仕切線を施した状態の概略平面図である。
【図２】本発明のキルティングの形態を説明する図であって、長さ方向に折れ線状の仕切線を施した状態の概略平面図である。
【図３】本発明のキルティングの形態を説明する図であって、幅方向に曲線状の仕切線を施した状態の概略平面図である。
【図４】本発明のキルティングの形態を説明する図であって、幅方向に折れ線状の仕切線を施した状態の概略平面図である。
【図５】本発明の実施例に係る掛布団であって、掛布団の概略平面図である。
【図６】本発明の実施例に係る掛布団であって、掛布団の足元側から見た概略斜視図である。
【図７】本発明の実施例に係る掛布団であって、足元側から見た掛布団の使用状態の斜視図である。
【図８】本発明の実施例に係る掛布団であって、使用状態において力が作用する方向を説明する斜視図である。
【図９】従来の掛布団の概略平面図である。
【図１０】従来の掛布団であって、掛布団の足元側から見た概略斜視図である。
【符号の説明】
Ａ・・・掛布団
Ｂ１・・長さ方向の中心線
Ｃ１・・曲線状のキルティング
Ｓ１・・キルティングＣ１の右側の外方側
Ｐ１・・矢符
Ｃ２・・折れ線状のキルティング
Ｓ２・・キルティングＣ２の右側の外方側
Ｐ２・・矢符
Ｂ２・・幅方向の中心線
Ｃ３・・曲線状のキルティング
Ｓ３・・キルティングＣ３の右側の外方側
Ｐ３・・矢符
Ｃ４・・折れ線状のキルティング
Ｓ４・・キルティングＣ４の右側の外方側
Ｐ４・・矢符
１０・・掛布団
１１・・側地周囲の縫着線
１ａ・・キルティング
１ｂ・・キルティング
２ａ・・キルティング
２ｂ・・キルティング
Ｂ３・・長さ方向の中心線
Ｐ５・・矢符
Ｐ６・・矢符
１ｃ・・キルティング１ａの右側の外方側
１ｄ・・キルティング１ｂの左側の外方側
２ｃ・・キルティング２ａの右側の外方側
２ｄ・・キルティング２ｂの左側の外方側
３ａ・・キルティング
３ｂ・・キルティング
４ａ・・キルティング
４ｂ・・キルティング
Ｂ４・・長さ方向の中心線
Ｐ７・・矢符
Ｐ８・・矢符
３ｃ・・キルティング３ａの右側の外方側
３ｄ・・キルティング３ｂの左側の外方側
４ｃ・・キルティング４ａの右側の外方側
４ｄ・・キルティング４ｂの左側の外方側
【図１】
0003809809.tif 000002
【図２】
0003809809.tif 000003
【図３】
0003809809.tif 000004
【図４】
0003809809.tif 000005
【図５】
0003809809.tif 000006
【図６】
0003809809.tif 000007
【図７】
0003809809.tif 000008
【図８】
0003809809.tif 000009
【図９】
0003809809.tif 000010
【図１０】
0003809809.tif 000011